【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】ネットワークを介してデータを送信するデータ処理装置であって、
前記データを分割したデータパケットを生成するデータパケット生成手段と、
前記ネットワークの有効通信速度を演算するためのダミーパケットを生成するダミーパケット生成手段と、
前記データの送信を要求する旨の要求信号を取得し認識することにより前記データパケットおよび前記ダミーパケットを時分割でかつ前記ダミーパケットを前記データパケットの送信速度以上の送信速度で前記ネットワークを介して送信する送信制御手段と、
この送信制御手段により送信された際に前記ネットワークにおいて欠落した前記ダミーパケットの量に基づいて演算される前記有効通信速度に関する速度情報を前記ネットワークを介して取得し、この取得した速度情報に基づいて前記送信制御手段による前記データパケットの送信速度を設定する速度設定手段と、
を具備したことを特徴としたデータ処理装置。
【請求項２】請求項１に記載のデータ処理装置であって、
前記送信制御手段は、前記データパケットおよび前記ダミーパケットを時分割で前記ネットワークを介して送信する際に、前記データパケットおよび前記ダミーパケットのうちのいずれか一方を選択するための切換手段を備えたことを特徴としたデータ処理装置。
【請求項３】請求項１または請求項２に記載のデータ処理装置であって、
前記送信制御手段は、前記要求信号を認識した際に、最初に前記ダミーパケットを送信することを特徴としたデータ処理装置。
【請求項４】請求項１ないし請求項３のいずれかに記載のデータ処理装置であって、
前記ダミーパケットは、前記ネットワークを介して送信される際の前記データパケットよりも低い優先度に関する優先度情報を有したことを特徴としたデータ処理装置。
【請求項５】ネットワークを介してデータを送信するデータ処理装置であって、
前記データを分割したデータパケットを生成するデータパケット生成手段と、
前記ネットワークを介して送信される際の前記データパケットよりも低い優先度に関する優先度情報を有したダミーパケットを生成するダミーパケット生成手段と、
前記データの送信を要求する旨の要求信号を取得し認識することにより前記ダミーパケットを前記データパケットとともに前記ネットワークを介して送信する送信制御手段と、
この送信制御手段により送信された際に前記ネットワークにおいて欠落した前記ダミーパケットの量に基づいて演算される前記有効通信速度に関する速度情報を前記ネットワークを介して取得し、この取得した速度情報に基づいて前記送信制御手段による前記データパケットの送信速度を設定する速度設定手段と、
を具備したことを特徴としたデータ処理装置。
【請求項６】請求項１ないし請求項５のいずれかに記載のデータ処理装置であって、
前記送信制御手段は、前記ダミーパケットを前記ネットワークの有効通信速度より速い送信速度で前記ネットワークを介して送信することを特徴としたデータ処理装置。
【請求項７】請求項１ないし請求項６のいずれかに記載のデータ処理装置であって、
前記速度設定手段は、前記データパケットの送信速度を前記速度情報の有効通信速度以下に設定することを特徴としたデータ処理装置。
【請求項８】ネットワークを介してデータを受信するデータ処理装置であって、
前記データを分割したデータパケットおよび前記ネットワークの有効通信速度を演算するためのダミーパケットであって時分割で送信される前記データパケットおよび前記ダミーパケットを前記ネットワークを介して受信するパケット受信手段と、
このパケット受信手段にて受信した前記ダミーパケットの前記ネットワークにおいて欠落した量を認識し、この認識した前記ダミーパケットの欠落した量に基づいて前記ネットワークの有効通信速度を演算する通信速度演算手段と、
この通信速度演算手段により演算された前記有効通信速度に関する速度情報を生成し前記ネットワークを介して送信する速度情報生成手段と、
を具備したことを特徴としたデータ処理装置。
【請求項９】請求項８に記載のデータ処理装置であって、
前記パケット受信手段にて受信した前記データパケットを一時的に蓄えるバッファと、
このバッファに蓄えられた前記データパケットの蓄積パケット量を認識し、この認識した蓄積パケット量が前記バッファの容量の所定量以上の場合には前記ダミーパケットの送信を要求する旨のパケット要求信号を生成し、前記蓄積パケット量が前記バッファの容量の所定量以下の場合には前記データパケットの送信を要求する旨のデータパケット要求信号を生成し、この生成したパケット要求信号を前記ネットワークを介して送信する蓄積量認識手段と、
を具備したことを特徴としたデータ処理装置。
【請求項１０】請求項９に記載のデータ処理装置であって、
前記パケット受信手段にて受信したパケットの種類を認識し、この認識したパケットが前記データパケットの場合にはこのデータパケットを前記バッファに出力し、前記認識したパケットが前記ダミーパケットの場合にはこのダミーパケットを前記通信速度演算手段に出力する出力制御手段を具備したことを特徴としたデータ処理装置。
【請求項１１】請求項１０に記載のデータ処理装置であって、
前記出力制御手段は、前記パケット受信手段にて受信したパケットを、前記バッファおよび前記通信速度演算手段のうちのいずれか一方に出力するための切換手段を備えたことを特徴としたデータ処理装置。
【請求項１２】請求項８ないし請求項１１のいずれかに記載のデータ処理装置であって、
前記ダミーパケットは、前記ネットワークを介して送信される際の前記データパケットよりも低い優先度に関する優先度情報を有したことを特徴としたデータ処理装置。
【請求項１３】ネットワークを介してデータを受信するデータ処理装置であって、
前記データを分割したデータパケット、および、前記ネットワークを介して送信される際の前記データパケットよりも低い優先度に関する優先度情報を有したダミーパケットであって同時に送信される前記データパケットおよび前記ダミーパケットを前記ネットワークを介して受信するパケット受信手段と、
このパケット受信手段にて受信した前記ダミーパケットの前記ネットワークにおいて欠落した量を認識し、この認識した前記ダミーパケットの欠落した量に基づいて前記ネットワークの有効通信速度を演算する通信速度演算手段と、
この通信速度演算手段により演算された前記有効通信速度に関する速度情報を生成し前記ネットワークを介して送信する速度情報生成手段と、
を具備したことを特徴としたデータ処理装置。
【請求項１４】演算手段により、ネットワークを介してデータを送信するデータ処理方法であって、
前記演算手段は、
前記データを分割したデータパケットおよび前記ネットワークの有効通信速度を演算するためのダミーパケットを生成し、
前記データの送信を要求する旨の要求信号を取得し認識することにより前記データパケットおよび前記ダミーパケットを時分割でかつ前記ダミーパケットを前記データパケットの送信速度以上の送信速度で前記ネットワークを介して送信し、
この送信により前記ネットワークにおいて欠落した前記ダミーパケットの量に基づいて演算される前記有効通信速度に関する速度情報を前記ネットワークを介して取得し、
この取得した速度情報に基づいて前記データパケットの送信速度を設定し、この設定した送信速度で前記データパケットを前記ネットワークを介して送信することを特徴とするデータ処理方法。
【請求項１５】演算手段により、ネットワークを介してデータを送信するデータ処理方法であって、
前記演算手段は、
データを分割したデータパケットおよび前記ネットワークを介して送信される際の前記データパケットよりも低い優先度に関する優先度情報を有したダミーパケットを生成し、
前記データの送信を要求する旨の要求信号を取得し認識することにより前記ダミーパケットを前記データパケットとともに前記ネットワークを介して送信し、
この送信により前記ネットワークにおいて欠落した前記ダミーパケットの量に基づいて演算される前記有効通信速度に関する速度情報を前記ネットワークを介して取得し、
この取得した速度情報に基づいて前記データパケットの送信速度を設定し、この設定した送信速度で前記データパケットを前記ネットワークを介して送信することを特徴とするデータ処理方法。
【請求項１６】演算手段により、ネットワークを介してデータを受信するデータ処理方法であって、
前記演算手段は、
前記データを分割したデータパケットおよび前記ネットワークの有効通信速度を演算するためのダミーパケットであって時分割で送信される前記データパケットおよび前記ダミーパケットを前記ネットワークを介して受信し、
この受信した前記ダミーパケットの前記ネットワークにおいて欠落した量を認識し、この認識した前記ダミーパケットの欠落した量に基づいて前記ネットワークの有効通信速度を演算し、
この演算した前記有効通信速度に関する速度情報を生成し前記ネットワークを介して送信することを特徴とするデータ処理方法。
【請求項１７】演算手段により、ネットワークを介してデータを受信するデータ処理方法であって、
前記演算手段は、
前記データを分割したデータパケットおよび前記ネットワークを介して送信される際の前記データパケットよりも低い優先度に関する優先度情報を有したダミーパケットであって同時に送信される前記データパケットおよび前記ダミーパケットを前記ネットワークを介して受信し、
この受信した前記ダミーパケットの前記ネットワークにおいて欠落した量を認識し、この認識した前記ダミーパケットの欠落した量に基づいて前記ネットワークの有効通信速度を演算し、
この演算した前記有効通信速度に関する速度情報を生成し前記ネットワークを介して送信することを特徴とするデータ処理方法。
【請求項１８】請求項１４ないし請求項１７のいずれかに記載のデータ処理方法を演算手段に実行させることを特徴としたデータ処理プログラム。
【手続補正２】
【補正対象書類名】明細書
【補正対象項目名】００１１
【補正方法】削除
【補正の内容】
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
請求項１４に記載の発明は、演算手段により、ネットワークを介してデータを送信するデータ処理方法であって、前記演算手段は、前記データを分割したデータパケットおよび前記ネットワークの有効通信速度を演算するためのダミーパケットを生成し、前記データの送信を要求する旨の要求信号を取得し認識することにより前記データパケットおよび前記ダミーパケットを時分割でかつ前記ダミーパケットを前記データパケットの送信速度以上の送信速度で前記ネットワークを介して送信し、この送信により前記ネットワークにおいて欠落した前記ダミーパケットの量に基づいて演算される前記有効通信速度に関する速度情報を前記ネットワークを介して取得し、この取得した速度情報に基づいて前記データパケットの送信速度を設定し、この設定した送信速度で前記データパケットを前記ネットワークを介して送信することを特徴とするデータ処理方法である。
【手続補正５】
【補正対象書類名】明細書
【補正対象項目名】００１４
【補正方法】変更
【補正の内容】
【００１４】
請求項１５に記載の発明は、演算手段により、ネットワークを介してデータを送信するデータ処理方法であって、前記演算手段は、データを分割したデータパケットおよび前記ネットワークを介して送信される際の前記データパケットよりも低い優先度に関する優先度情報を有したダミーパケットを生成し、前記データの送信を要求する旨の要求信号を取得し認識することにより前記ダミーパケットを前記データパケットとともに前記ネットワークを介して送信し、この送信により前記ネットワークにおいて欠落した前記ダミーパケットの量に基づいて演算される前記有効通信速度に関する速度情報を前記ネットワークを介して取得し、この取得した速度情報に基づいて前記データパケットの送信速度を設定し、この設定した送信速度で前記データパケットを前記ネットワークを介して送信することを特徴とするデータ処理方法である。
【手続補正６】
【補正対象書類名】明細書
【補正対象項目名】００１５
【補正方法】変更
【補正の内容】
【００１５】
請求項１６に記載の発明は、演算手段により、ネットワークを介してデータを受信するデータ処理方法であって、前記演算手段は、前記データを分割したデータパケットおよび前記ネットワークの有効通信速度を演算するためのダミーパケットであって時分割で送信される前記データパケットおよび前記ダミーパケットを前記ネットワークを介して受信し、この受信した前記ダミーパケットの前記ネットワークにおいて欠落した量を認識し、この認識した前記ダミーパケットの欠落した量に基づいて前記ネットワークの有効通信速度を演算し、この演算した前記有効通信速度に関する速度情報を生成し前記ネットワークを介して送信することを特徴とするデータ処理方法である。
【手続補正７】
【補正対象書類名】明細書
【補正対象項目名】００１６
【補正方法】変更
【補正の内容】
【００１６】
請求項１７に記載の発明は、演算手段により、ネットワークを介してデータを受信するデータ処理方法であって、前記演算手段は、前記データを分割したデータパケットおよび前記ネットワークを介して送信される際の前記データパケットよりも低い優先度に関する優先度情報を有したダミーパケットであって同時に送信される前記データパケットおよび前記ダミーパケットを前記ネットワークを介して受信し、この受信した前記ダミーパケットの前記ネットワークにおいて欠落した量を認識し、この認識した前記ダミーパケットの欠落した量に基づいて前記ネットワークの有効通信速度を演算し、この演算した前記有効通信速度に関する速度情報を生成し前記ネットワークを介して送信することを特徴とするデータ処理方法である。
【手続補正８】
【補正対象書類名】明細書
【補正対象項目名】００１７
【補正方法】変更
【補正の内容】
【００１７】
請求項１８に記載の発明は、請求項１４ないし請求項１７のいずれかに記載のデータ処理方法を演算手段に実行させることを特徴としたデータ処理プログラムである。
【手続補正９】
【補正対象書類名】明細書
【補正対象項目名】００１８
【補正方法】削除
【補正の内容】